(57)【要約】      （修正有）【課題】非健常者が車椅子に座った場合に、その者の骨盤を支え、叉膝裏側の大腿部を支え、さらに座骨側が座面上で前方側にずれて車椅子からずり落ちるのを防いで、一定時間快適に車椅子に座り続けることのできる車椅子用補助具を提供する。【解決手段】並設された左右の各側部フレーム２、各側部フレーム２の後部側に取り付けられた止具付きスライド杆３、左右の側部フレーム２の後部側の上部間に設けられた骨盤サポート４、左右の側部フレーム２の間にスライド自在に設けられた大腿部サポート、上記大腿部サポート上及び左右の側部フレーム２間上に取り付けた補助座面６、各側部フレーム２の後端に取り付けられた係止片７からなる。【選択図】図２
2010099453.tif 000002
【特許請求の範囲】
【請求項１】
車椅子の座面に載せて使用されるものであって、並設された左右の各側部フレームの後部側に止具付きスライド杆をそれぞれ前後方向スライド自在に取り付け、車椅子の背もたれに当接支持されながら上記スライド杆の前後スライドに連動して前後方向に傾動して車椅子に座る者の骨盤を支持する骨盤サポートを上記左右の側部フレームの後部側の上部間に設けると共に、上記骨盤サポートの両側下部を上記左右の各止具付きスライド杆上にそれぞれ前後方向傾動自在に軸支し、上記左右の側部フレームの前部側の間に車椅子に座る者の膝裏側付近の大腿部を支持する大腿部サポートを前後方向にスライド自在に設け、大腿部サポートの両側端に設けられる左右の止具付き張り出し杆を上記左右の各側部フレームの前部側にそれぞれ前後方向スライド自在に取り付け、車椅子に座る者の坐骨滑り止め機能を備えた補助座面を上記大腿部サポート上及び左右の側部フレーム間上に渡って取り付け、上記左右の各側部フレームが上記車椅子の座面の前方側に移動するのを当該座面後端に係止して阻止する係止片を当該各側部フレームの後端に取り付けたことを特徴とする車椅子用補助具。
【請求項２】
車椅子の座面に載せて使用されるものであって、並設された左右の各側部フレームの後部側に止具付きスライド杆をそれぞれ前後方向スライド自在に取り付け、車椅子の背もたれに当接支持されながら上記スライド杆の前後スライドに連動して前後方向に傾動して車椅子に座る者の骨盤を支持する骨盤サポートを上記左右の側部フレームの後部側の上部間に設けると共に、上記骨盤サポートの両側下部を上記左右の各止具付きスライド杆上にそれぞれ前後方向傾動自在に軸支し、上記左右の側部フレームの前部側の間に車椅子に座る者の膝裏側付近の大腿部を支持する大腿部サポートを前後方向にスライド自在に設け、大腿部サポートの両側端に設けられる左右の止具付き張り出し杆を上記左右の各側部フレームの前部側にそれぞれ前後方向スライド自在に取り付け、車椅子に座る者の坐骨滑り止め機能を備えた補助座面を上記大腿部サポート上及び左右の側部フレーム間上に渡って取り付け、上記左右の各側部フレームが上記車椅子の座面の前方側に移動するのを当該座面後端に係止して阻止する係止バーを当該左右の側部フレームの後端側の間に横架して取り付けたことを特徴とする車椅子用補助具。
【発明の詳細な説明】
【技術分野】
【０００１】
この発明は、車椅子で使用される補助具に係り、特に、車椅子の座面に載せて使用されるもので、病人、老人、障害者などの非健常者が車椅子に座る場合に、その者の骨盤を支え、叉膝裏側の大腿部を支え、さらに坐骨側が座面上で前方側にずれて車椅子からずり落ちるのを防いで、一定時間快適に車椅子に座り続けることのできる車椅子用補助具に関するものである。
【背景技術】
【０００２】
車椅子は、病人、老人、障害者などの非健常者が座ったままで移動するために使用されるもので、自動車などに積んで簡単に持ち運べるように、背もたれや座面がその中央で簡単に折りたためる構造になっているものが多い。このため、背もたれや座面の造りは折り畳みやすいように簡単な構造になっており、その結果座り心地が犠牲にされている。
【先行技術文献】
【特許文献】
【０００３】
【特許文献１】特開平０２−４６８４５
【発明の概要】
【発明が解決しようとする課題】
【０００４】
ところで、病人、老人、障害者などの非健常者が車椅子に座った場合、車椅子に座った非健常者の多くは時間の経過に伴い車椅子の座面上の自分の体幹を支えることが困難となり、その体幹が車椅子内で前屈みに傾いたり捻れたりして、車椅子の背もたれ下部と非健常者の骨盤との間に隙間ができ（図１５参照）、骨盤が支えられないため苦痛となり、その結果、一定時間快適に車椅子に座り続けることが困難であった。又傾き捻れて坐骨側が座面上で前方側にずれて車椅子からずり落ちることもあった。
【０００５】
この発明は、上記のような課題に鑑み、その課題を解決すべく創案されたものであって、その目的とするところは、病人、老人、障害者などの非健常者が車椅子に座った場合に、その者の骨盤を支え、叉膝裏側の大腿部を支え、さらに坐骨側が座面上で前方側にずれて車椅子からずり落ちるのを防いで、一定時間快適に車椅子に座り続けることのできる車椅子用補助具を提供することにある。
【課題を解決するための手段】
【０００６】
以上の課題を解決するために、請求項１の発明は、車椅子の座面に載せて使用されるものであって、並設された左右の各側部フレームの後部側に止具付きスライド杆をそれぞれ前後方向スライド自在に取り付け、車椅子の背もたれに当接支持されながら上記スライド杆の前後スライドに連動して前後方向に傾動して車椅子に座る者の骨盤を支持する骨盤サポートを上記左右の側部フレームの後部側の上部間に設けると共に、上記骨盤サポートの両側下部を上記左右の各止具付きスライド杆上にそれぞれ前後方向傾動自在に軸支し、上記左右の側部フレームの前部側の間に車椅子に座る者の膝裏側付近の大腿部を支持する大腿部サポートを前後方向にスライド自在に設け、大腿部サポートの両側端に設けられる左右の止具付き張り出し杆を上記左右の各側部フレームの前部側にそれぞれ前後方向スライド自在に取り付け、車椅子に座る者の坐骨滑り止め機能を備えた補助座面を上記大腿部サポート上及び左右の側部フレーム間上に渡って取り付け、上記左右の各側部フレームが上記車椅子の座面の前方側に移動するのを当該座面後端に係止して阻止する係止片を当該各側部フレームの後端に取り付けた手段よりなるものである。
【０００７】
また、請求項２の発明は、車椅子の座面に載せて使用されるものであって、並設された左右の各側部フレームの後部側に止具付きスライド杆をそれぞれ前後方向スライド自在に取り付け、車椅子の背もたれに当接支持されながら上記スライド杆の前後スライドに連動して前後方向に傾動して車椅子に座る者の骨盤を支持する骨盤サポートを上記左右の側部フレームの後部側の上部間に設けると共に、上記骨盤サポートの両側下部を上記左右の各止具付きスライド杆上にそれぞれ前後方向傾動自在に軸支し、上記左右の側部フレームの前部側の間に車椅子に座る者の膝裏側付近の大腿部を支持する大腿部サポートを前後方向にスライド自在に設け、大腿部サポートの両側端に設けられる左右の止具付き張り出し杆を上記左右の各側部フレームの前部側にそれぞれ前後方向スライド自在に取り付け、車椅子に座る者の坐骨滑り止め機能を備えた補助座面を上記大腿部サポート上及び左右の側部フレーム間上に渡って取り付け、上記左右の各側部フレームが上記車椅子の座面の前方側に移動するのを当該座面後端に係止して阻止する係止バーを当該左右の側部フレームの後端側の間に横架して取り付けた手段よりなるものである。
【発明の効果】
【０００８】
以上の課題を解決するための手段を備えたこの発明に係る車椅子用補助具によれば、非健常者の多くが時間の経過に伴い車椅子の座面上の自分の体幹を支えることが困難となることに起因して、車椅子の背もたれ下部と非健常者の骨盤との間にできる任意の隙間に骨盤サポートを入れ、前後スライド移動によって骨盤サポートを傾動させて非健常者の骨盤側に当接させることができ、非健常者の骨盤を骨盤サポートにより確実に支持することができる。
また、非健常者の多くが時間の経過に伴い車椅子の座面上の自分の体幹を支えることが困難となることに起因して、車椅子の座面の前端からはみ出す膝裏側の大腿部を、前方にスライドさせた大腿部サポートにより確実に支持することができる。
さらに、坐骨滑り止め機能を備えた補助座面によって、補助座面に座った非健常者の坐骨側が前方側にずれるのを防ぐことができる。
このように、病人、老人、障害者などの非健常者が車椅子に座る場合に、その者の骨盤を支え、叉膝裏側の大腿部を支え、さらに坐骨側が座面上で前方側にずれて車椅子からずり落ちるのを防いで、非健常者ａは一定時間快適に車椅子に座り続けることができる等、極めて新規的有益なる効果を奏するものである。
【図面の簡単な説明】
【０００９】
【図１】この発明を実施するための形態を示す車椅子用補助具を車椅子に載せての使用状態の側面図である。
【図２】この発明を実施するための形態を示す車椅子用補助具の側面図である。
【図３】この発明を実施するための形態を示す車椅子用補助具の一部切り欠き平面図である。
【図４】この発明を実施するための形態を示す車椅子用補助具の一部切り欠き正面図である。
【図５】この発明を実施するための形態を示す車椅子用補助具の骨組みの底面図である。
【図６】この発明を実施するための形態を示す車椅子用補助具の骨組みの背面図である。
【図７】図６のＡ−Ａ矢視断面図である。
【図８】この発明を実施するための形態を示す他例の車椅子用補助具を車椅子に載せての使用状態の側面図である。
【図９】この発明を実施するための形態を示す他例の車椅子用補助具の側面図である。
【図１０】この発明を実施するための形態を示す他例の車椅子用補助具の一部切り欠き平面図である。
【図１１】この発明を実施するための形態を示す他例の車椅子用補助具の一部切り欠き正面図である。
【図１２】この発明を実施するための形態を示す他例の車椅子用補助具の骨組みの底面図である。
【図１３】この発明を実施するための形態を示す他例の車椅子用補助具の骨組みの背面図である。
【図１４】図１３のＡ−Ａ矢視断面図である。
【図１５】従来説明図である。
【発明を実施するための形態】
【００１０】
以下、図面に記載の発明を実施するための形態に基づいて、この発明をより具体的に説明する。
図において、車椅子用補助具１は、車椅子９の座面９１上に載せて使用されるもので、病人、老人、障害者などの非健常者ａが車椅子９に座る場合に、非健常者ａの骨盤を支え、叉非健常者ａの坐骨側が座面９１上で前方側にずれて非健常者ａが車椅子９からずり落ちるのを防いで、非健常者ａは一定時間快適に車椅子９に座り続けることができる特徴を備えている。
【００１１】
車椅子用補助具１は、並設された左右の各側部フレーム２、各側部フレーム２の後部側に取り付けられた止具付きスライド杆３、左右の側部フレーム２の後部側の上部間に設けられた骨盤サポート４、左右の側部フレーム２の間にスライド自在に設けられた大腿部サポート５、上記大腿部サポート５上及び左右の側部フレーム２間上に取り付けた補助座面６、左右の各側部フレーム２の後端に取り付けられた係止片７又は係止片７に替えて左右の側部フレーム２の後端側の間に横架されて取り付けられた係止バー８などから構成されている。
【００１２】
左右の各側部フレーム２は車椅子用補助具１の左右両側端を構成するもので、平行に配置されている。車椅子用補助具１は、車椅子９の座面９１に載せる場合、座面９１の両幅側に、側部フレーム２の長さ方向が座面９１の前後方向に向くように載せられる。このため、左右の側部フレーム２の間隔は、車椅子９の座面９１の幅内に入る大きさである。左右の側部フレーム２には、非健常者ａがその上側に座っても変形しないように、例えば金属製の円形中空管が使用されている。
【００１３】
並設された左右の各側部フレーム２の後部側には止具付きスライド杆３がそれぞれ前後方向スライド自在に取り付けられている。止具付きスライド杆３は、側部フレーム２に沿って前後方向にスライドすることによって、骨盤サポート４の傾きを変える機能を果たす。各止具付きスライド杆３は、側部フレーム２の長さ方向につまりその前後方向に沿ってスライドできる構造になっている。即ち、各止具付きスライド杆３は車椅子９の座面９１の前後方向に向けてスライドできる構造になっている。
【００１４】
各止具付きスライド杆３は側部フレーム２に外装されている。つまり、各止具付きスライド杆３はその内部に中空の貫通孔が形成されていて、その貫通孔に側部フレーム２が挿通している。側部フレーム２の外形断面は例えば円形になっているため、止具付きスライド杆３の貫通孔の断面も円形になっている。
【００１５】
各止具付きスライド杆３は、その前半側のレバー式止具３１と後半側の軸受け筒３２から構成されている。レバー式止具３１の内部には中空の貫通孔が形成されている。同様に軸受け筒３２の内部にも中空の貫通孔が形成されている。
【００１６】
レバー式止具３１は前後に自在にスライドする止具付きスライド杆３を固定させて動かないようにする。レバー式止具３１には上側にレバー３１ａが取り付けられていて、引き上げられているレバー３１ａを下向きに押すことによって、止具付きスライド杆３を固定させることができる。叉引き下げていたレバー３１ａを上向きに引き上げることにより、簡単に固定状態を解除することができ、固定解除により止具付きスライド杆３は前後に自在にスライドできるようになる。
【００１７】
各止具付きスライド杆３の後半側の軸受け筒３２の上面には上向きに軸受け３３が一体的にそれぞれ固設されている。左右の止具付きスライド杆３の各軸受け３３には骨盤サポート４の両側の下端が枢支軸３４を介して前後方向に回転自在に取り付けられる。骨盤サポート４の両側の下端は回転に対して何ら拘束されないフリーの状態で軸受け３３に軸支されていて、骨盤サポート４の角度の調節は止具付きスライド杆３を前後にスライドさせることによって行われる。
【００１８】
即ち、骨盤サポート４はその後部側が車椅子９の背もたれ９２に当接支持されているので、止具付きスライド杆３を前方側にスライドさせると、つまり背もたれ９２から離れる方向に移動させると、骨盤サポート４の角度は倒れる方向の緩やかになる。逆に止具付きスライド杆３を後方側にスライドさせると、つまり背もたれ９２に近づく方向に移動させると、骨盤サポート４の角度は垂直に近づく立ち上がる方向になる。
【００１９】
このように、骨盤サポート４は、車椅子９の背もたれ９２に当接支持されながら止具付きスライド杆３の前後スライドに連動して前後方向に傾動する構造になっている。これは、骨盤サポート４の上部側の後部側が常に車椅子９の背もたれ９２に当接支持されているのに対し、叉骨盤サポート４の下端側は前後にスライドする止具付きスライド杆３の軸受け筒３２の軸受け３３に回転自在に軸支されているためである。
【００２０】
骨盤サポート４は、車椅子９の背もたれ９２下部と非健常者ａの骨盤との間にできる任意の隙間に位置して、非健常者ａの骨盤を苦痛を与えることなく確実に支持するものである。骨盤サポート４は上記左右の側部フレーム２の後部側の上部間に設けられている。また、前述したように、骨盤サポート４の両側下部が左右の各止具付きスライド杆３の軸受け筒３２上の軸受け３３に枢支軸３４を介してそれぞれ前後方向傾動自在に軸支されている。
【００２１】
骨盤サポート４は、左右に並設された縦型フレーム４１、左右の縦型フレーム４１の間の上部側に横設された横型フレーム４２、左右の縦型フレーム４１の間に横設された補助背もたれシート４３と複数の背もたれ支持ベルト４４などから構成されている。縦型フレーム４１及び横型フレーム４２には前記の側部フレーム２と同様に例えば金属製の円形中空管が使用され、叉同じ材質、直径のものが使用されている。
【００２２】
左右の縦型フレーム４１の円形の下端側は、止具付きスライド杆３の軸受け筒３２の軸受け３３に軸支され易いように、幅方向側の厚みが下端向かってＶ字状に変形されて狭くなっていて、軸支されるその下端部分は板状に変形されている。板状の下端部分の中央には軸受け３３に軸支されるための孔が形成され、その孔には前記の枢支軸３４が貫通して軸受け３３に軸支されている。左右の縦型フレーム４１はこの枢支軸３４と軸受け３３によって、枢支軸３４を中心に前後方向に拘束されることなく回転自在になっている。
【００２３】
左右の縦型フレーム４１の上部側の間に横設された横型フレーム４２は、車椅子９の背もたれ９２に直に当接支持される箇所で、後方側に向けて弧状に曲がっていて、骨盤サポート４で支持される非健常者ａの骨盤の形状に沿った形に曲がっている。横型フレーム４２は弧状に曲がっていることにより、非健常者ａの骨盤側を優しく支持することができ、苦痛を与えることがない。
【００２４】
左右の縦型フレーム４１の間に横設された補助背もたれシート４３は、非健常者ａの骨盤側を直に支持する部分で、中央部分が少し撓むように取り付けられていて、非健常者ａの骨盤側を優しく支持することができ、苦痛を与えることがない。また、左右の縦型フレーム４１の間の補助背もたれシート４３の後面側には、補助背もたれシート４３の後面側を支持する複数の背もたれ支持ベルト４４が中央部分が少し撓むような状態で左右幅方向に取り付けられている。背もたれ支持ベルト４４は上下方向に複数段取り付けられている。各背もたれ支持ベルト４４の両端は左右の縦型フレーム４１寄りの補助背もたれシート４３の後面側に連結されている。
【００２５】
大腿部サポート５は車椅子９に座る非健常者ａの膝裏側付近の大腿部を支持するもので、左右の側部フレーム２の前部側の間に前後方向スライド自在に設けられている。車椅子９に座る非健常者ａは自分の体幹を支えることができず、叉猫背に曲がるために骨盤側が前方側にずり出し、その結果、非健常者ａの膝裏側も車椅子９の座面９１の前端からはみ出して、膝裏側付近が車椅子９の座面９１の前部側に乗らずに支えられない状態が生じて、苦痛与えることになる。
【００２６】
そこで、はみ出す膝裏側に対応して大腿部サポート５を前方に向けてスライドさせることにより、このスライド移動する大腿部サポート５によって、はみ出す膝裏側を支えようとするものであり、これによって車椅子９に座る非健常者ａの大腿部側に生じる苦痛を解消させることができるのである。
【００２７】
大腿部サポート５は、左右両側端に並設された止具付き張り出し杆５１、止具付き張り出し杆５１の筒状フレーム５２と雌雄型筒状止具５３、左右の筒状フレーム５２の間に横設された下部横型フレーム５４、左右の筒状フレーム５２の間に横設された補助前部座面シート５５と複数の座面支持ベルト５６などから構成されている。筒状フレーム５２及び下部横型フレーム５４には前記の側部フレーム２と同様に例えば金属製の円形中空管が使用され、叉同じ材質のものが使用されている。
【００２８】
並設された左右の各側部フレーム２の前部側には止具付き張り出し杆５１がそれぞれ前後方向スライド自在に取り付けられている。止具付き張り出し杆５１は、側部フレーム２に沿って前方方向にスライドすることによって、左右の止具付き張り出し杆５１の間に設けられた大腿部サポート５を前方方向に移動させて、車椅子用補助具１の前端側から大腿部サポート５を張り出して、非健常者ａの膝下内側の大腿部側を支持させる機能を果たす。各止具付き張り出し杆５１は、側部フレーム２の長さ方向につまりその前後方向に沿ってスライドできる構造になっている。即ち、各止具付き張り出し杆５１は車椅子９の座面９１の前後方向に向けてスライドできる構造になっている。
【００２９】
各止具付き張り出し杆５１は側部フレーム２の前部側及び前端に外装されている。各止具付き張り出し杆５１は、例えば円筒形の筒状フレーム５２とその筒状フレーム５２の後端側に取り付けられた雌雄型筒状止具５３から構成されている。
【００３０】
各止具付き張り出し杆５１の筒状フレーム５２はその内部に中空の空洞が形成されていて、その空洞内に側部フレーム２の前部側が挿入されている。筒状フレーム５２の前端は塞がれていて、止具付き張り出し杆５１が側部フレーム２の後方側に向かって移動するのを防いでいる。側部フレーム２の外形断面は例えば円形になっているため、筒状フレーム５２の内部の空洞の断面も円形になっている。筒状フレーム５２は、その円形中空内に側部フレーム２が挿入できるようにその直径は側部フレーム２よりも大きい。
【００３１】
雌雄型筒状止具５３は、前後に自在にスライドする止具付き張り出し杆５１を固定させて動かないようにするもので、雄ねじ側５３ａと雌ねじ側５３ｂから構成されている。雄ねじ側５３ａは筒状フレーム５２の後端側に連結されている。雌雄型筒状止具５３は雌ねじ側５３ｂを締める方向に回すことによって、止具付き張り出し杆５１を固定させることができる。逆に雌ねじ側５３ｂを弛める方向に回すことにより、簡単に固定状態を解除することができ、固定解除により止具付き張り出し杆５１は前後に自在にスライドできるようになる。
【００３２】
左右の止具付き張り出し杆５１の筒状フレーム５２の間に横設された下部横型フレーム５４は、車椅子９の座面９１に直に当接支持される箇所で、撓む座面９１に対応して下向きに向けて弧状に曲がっている。下部横型フレーム５４は弧状に曲がっていることにより、大腿部サポート５を上向きに盛り上げることもなく、これにより大腿部サポート５は撓む座面９１に違和感なく支持される。
【００３３】
左右の筒状フレーム５２の間に横設された補助前部座面シート５５は、座面９１からはみ出す非健常者ａの膝裏側の大腿部側を直に支持する部分で、中央部分が撓まないようにピーンと張った状態で取り付けられている。また、左右の筒状フレーム５２の間の補助前部座面シート５５の下面側には、補助前部座面シート５５の下面側を支持する複数の座面支持ベルト５６が左右幅方向にピーンと張った状態で取り付けられている。各座面支持ベルト５６の両端は左右の筒状フレーム５２寄りの補助前部座面シート５５の下面側に連結されている。
【００３４】
補助座面６は上記大腿部サポート５上及び左右の側部フレーム２間上に渡って取り付けられている。補助座面６は大腿部サポート５上及び左右の側部フレーム２間上に渡って単に載せられているだけで簡単に取り外すことができる。また、補助座面６は厚みのあるクッション性のあるもので造られており、非健常者ａが車椅子９に座る場合の座り心地を高めている。
【００３５】
補助座面６は平面から見て、前半部側の幅が少し広くなっていて、載せた場合にその少し広くなる両端で大腿部サポート５の両端及び左右の側部フレーム２の前半側を覆うことができるようになっている。補助座面６の後端側が骨盤サポート４の左右の縦型フレーム４１の間に丁度納まる程度の幅に狭められている。このため、補助座面６はその幅が途中から後端側に向けて徐々に狭くなっている。
【００３６】
ところで、車椅子９に座った非健常者ａは時間の経過に伴い自分の体幹を支えることが困難となり、また背中が曲がっていて、曲がった背中が背もたれ９２に当接して支持されるため、必然的に坐骨が前方側にせり出し、背中の曲がり具合が大きくなるほど、坐骨側が前方にずれる。そこで、この補助座面６には車椅子９に座る非健常者ａの坐骨側が前方側にずれるのを防ぐための坐骨滑り止め機能が備えられている。
【００３７】
補助座面６の坐骨滑り止め機能は、車椅子９に座る非健常者ａの坐骨、つまり臀部が載る部分となる後部側の補助座面６の表面が、下向きに凸状の臀部の形状に対応して窪み部分６１の構造からなっている。臀部が載らない補助座面６の前部側の座面表面は、臀部が載る後部側よりも少し高くなっている。臀部が載る後部側の座面表面に窪み部分６１があることにより、下向きに凸状の臀部はこの窪み部分６１に係止されて、車椅子９に座る非健常者ａの坐骨が前方側にずれるのが防がれる。
【００３８】
図１〜図７に示す係止片７は、上記左右の各側部フレーム２が上記車椅子９の座面９１の前方側に移動するのを通じて車椅子用補助具１の全体が上記車椅子９の座面９１の前方側に移動するのを阻止するもので、上記左右の各側部フレーム２の後端にそれぞれ取り付けられている。係止片７は上記車椅子９の座面９１の座面後端に係止されることによって、左右の各側部フレーム２が前方に移動するのを阻止して、車椅子用補助具１の全体が上記車椅子９の座面９１の前方側に移動するのを阻止する構造になっている。
【００３９】
図８〜図１４に示す係止バー８は、図１〜図７に示す係止片７の代わりに使用されるもので、係止片７と同様に上記左右の各側部フレーム２が上記車椅子９の座面９１の前方側に移動するのを通じて車椅子用補助具１の全体が上記車椅子９の座面９１の前方側に移動するのを阻止するもので、左右の側部フレーム２の後端側の間に横架して取り付けられている。係止バー８は、その一部が上記車椅子９の座面９１の座面後端に係止されることによって、左右の各側部フレーム２が前方に移動するのを阻止して、車椅子用補助具１の全体が上記車椅子９の座面９１の前方側に移動するのを阻止する構造になっている。
【００４０】
左右の側部フレーム２の後端側の間に横架して取り付けられている係止バー８は、その両端が各側部フレーム２の後端側の下面を上向きに貫通して取り付けられ、叉各側部フレーム２の後端側の下面からそれぞれ下向きに延び、そこから互いに向かい合う側に向けて略直角に折曲されて溝型状に取り付けられている。係止バー８には例えば金属製の丸棒が使用されている。
【００４１】
次に、上記発明を実施するための形態の構成に基づく車椅子用補助具の使用方法及び作用について以下説明する。
非健常者ａが車椅子９に座る前に、車椅子用補助具１を座面９１の上に載せる。このとき、図１〜図７の構造の場合には、車椅子用補助具１の左右の側部フレーム２の後端の係止片７が座面９１の座面後端に引っ掛かるようにセットする。また、図８〜図１４の構造の場合には、車椅子用補助具１の左右の側部フレーム２の後端側の間に横架した係止バー８が座面９１の座面後端に引っ掛かるようにセットし、さらに付属ベルト８１を係止バー８に掛けてその下方に設けられた図示しない車椅子９のティッピングレバーに固定する。
【００４２】
その後、非健常者ａは座面９１の上に載せられている車椅子用補助具１に座る。非健常者ａは時間の経過に伴い自分の体幹を支えることが困難となり、背中が曲がっている。曲がっている背中が背もたれ９２に当接して支持されるので、非健常者ａの骨盤側は座面９１の後端から少し前方側に位置することになり、車椅子９の背もたれ９２下部と非健常者ａの骨盤との間に隙間ができることになる。
【００４３】
そこで、骨盤サポート４の下端側を止具付きスライド杆３によって前方にスライド移動させる。止具付きスライド杆３のスライドを固定するレバー式止具３１のレバー３１ａを上向きに引き上げて固定解除する。骨盤サポート４の左右の縦型フレーム４１の下端側は止具付きスライド杆３の軸受け筒３２の軸受け３３に回転自在に軸支されており、骨盤サポート４は後方に向けてその中央が弧状になっている横型フレーム４２が車椅子９の背もたれ９２に当接支持されているので、叉その回転は非拘束の状態であるので、止具付きスライド杆３を側部フレーム２に沿って前方に移動させると、骨盤サポート４は自動的に傾斜が緩やかな方向に傾く。
【００４４】
止具付きスライド杆３の側部フレーム２に沿って前方スライドに連動して骨盤サポート４の下部側も前方側に移動し、移動する骨盤サポート４が補助座面６に座っている非健常者ａの骨盤側に当接することにより、止具付きスライド杆３のスライドを止め、上向きに引き上げていたレバー式止具３１のレバー３１ａを下向きに押して戻す。これにより、止具付きスライド杆３は前後スライドが阻止されて固定される。
【００４５】
このようにして、骨盤サポート４は、非健常者ａの多くが時間の経過に伴い車椅子９の座面９１上の自分の体幹を支えることが困難になることに起因して、車椅子９の背もたれ９２下部と非健常者ａの骨盤との間にできる任意の隙間に入り、前後移動によって傾動して非健常者ａの骨盤を支持することになるのである。
【００４６】
即ち、車椅子９の背もたれ９２下部と非健常者ａの骨盤との間にできる任意の隙間は、非健常者ａの背骨が曲がり坐骨側が座面９１の前方側にずれることによって生じるので、止具付きスライド杆３を同様に座面９１の前方側にスライドさせて、このスライドに連動して骨盤サポート４の傾きが自動的に変わるようにすることにより、その隙間部分に対応して非健常者ａの骨盤を骨盤サポート４により苦痛を与えることなく確実に支持することが可能となるのである。
【００４７】
また、背中が非常に曲がっている場合には、坐骨側が車椅子９の座面９１で少し前側に位置するので、膝裏側が車椅子９の座面９１の前端より少し出る。その結果、膝裏側近くの大腿部も座面９１の前端より出ていて支持されない。膝裏側近くの大腿部が支持されないことは、筋力が衰えている非健常者ａにとって苦痛である。
【００４８】
そこで、車椅子用補助具１の前部側の大腿部サポート５を前方にスライド移動させて、少し張り出す。大腿部サポート５の両側端の止具付き張り出し杆５１のスライドを固定する雌雄型筒状止具５３の雌ねじ側５３ｂを弛める方向に回して固定解除する。左右の止具付き張り出し杆５１を前方にスライドさせて側部フレーム２の前端側から少し張り出す。
【００４９】
即ち、大腿部サポート５の前端が非健常者ａの曲がっている膝裏側に当接する直前程度、移動させて張り出して、雌雄型筒状止具５３の雌ねじ側５３ｂを締め付ける方向に回して止具付き張り出し杆５１のスライドを止める。これにより、止具付き張り出し杆５１は前後スライドが阻止されて固定される。
【００５０】
このようにして、大腿部サポート５は、非健常者ａの多くが時間の経過に伴い車椅子９の座面９１上の自分の体幹を支えることが困難になることに起因して車椅子９の座面９１の前端からはみ出す膝裏側の大腿部を、前方にスライドさせた大腿部サポート５によって支持することになるのである。これにより、膝裏側近くの大腿部が支持されないことに伴う非健常者ａの苦痛を解消することができる。
【００５１】
なお、この発明は上記発明を実施するための形態に限定されるものではなく、この発明の精神を逸脱しない範囲で種々の改変をなし得ることは勿論である。
【符号の説明】
【００５２】
１    車椅子用補助具
２    側部フレーム
３    止具付きスライド杆
３１    レバー式止具
３１ａ  レバー
３２    軸受け筒
３３    軸受け
３４    枢支軸
４    骨盤サポート
４１    縦型フレーム
４２    横型フレーム
４３    補助背もたれシート
４４    背もたれ支持ベルト
５    大腿部サポート
５１    止具付き張り出し杆
５２    筒状フレーム
５３    雌雄型筒状止具
５３ａ  雄ねじ側
５３ｂ  雌ねじ側
５４    下部横型フレーム
５５    補助前部座面シート
５６    座面支持ベルト５６
６    補助座面
６１    窪み部分
７    係止片
８    係止バー
８１    付属ベルト
９    車椅子
９１    座面
９２    背もたれ
ａ    非健常者
【図１】
2010099453.tif 000003
【図２】
2010099453.tif 000004
【図３】
2010099453.tif 000005
【図４】
2010099453.tif 000006
【図５】
2010099453.tif 000007
【図６】
2010099453.tif 000008
【図７】
2010099453.tif 000009
【図８】
2010099453.tif 000010
【図９】
2010099453.tif 000011
【図１０】
2010099453.tif 000012
【図１１】
2010099453.tif 000013
【図１２】
2010099453.tif 000014
【図１３】
2010099453.tif 000015
【図１４】
2010099453.tif 000016
【図１５】
2010099453.tif 000017